(57)【要約】【課題】商品としての付加価値、作業性、使い勝手及び保持力などを向上させることができる留め手段付き箱の提供を目的とする。【解決手段】留め手段付き箱１は、中空板材からなる、箱本体２及び蓋３と、蓋３に移動可能に収容された移動磁石４１、及び、箱本体２に固定された固定磁石４２とからなる留め手段４とを備え、移動磁石４１が固定磁石４２と対向する位置にあるとき、磁気吸引力によって蓋３を箱本体２に留め、移動磁石４１を固定磁石４２と対向する位置から移動させると、磁気吸引力による留めが解除される構成としてある。【選択図】  図１
2014162510.tif 000002
【特許請求の範囲】
【請求項１】
中空板材からなる、箱本体及び蓋と、
前記蓋に移動可能に収容された移動磁石、及び、前記箱本体に固定された固定磁石とからなる留め手段と
を備え、
前記蓋が、前記移動磁石を移動させるための指掛け孔の形成されたフラップ、該フラップの内側面に接合され、前記移動磁石を移動可能に収めるスライド溝の形成された中板、及び、該中板の内側面に接合され、前記移動磁石を覆う移動磁石用カバー板を有し、
前記箱本体が、前記固定磁石を収める収容孔の形成された正面板、及び、前記固定磁石を覆う固定磁石用カバー板を有し、
前記移動磁石が前記固定磁石と対向する位置にあるとき、磁気吸引力によって前記蓋を前記箱体に留め、前記移動磁石を前記固定磁石と対向する位置から移動させると、磁気吸引力による留めが解除されることを特徴とする留め手段付き箱。
【請求項２】
一対の前記移動磁石、及び、一対の前記固定磁石を有し、一対の前記指掛け孔が左右方向に並ぶように形成され、一対の前記スライド溝が左右方向に沿って形成され、一対の前記収容孔が左右方向に並ぶように形成されたことを特徴とする請求項１に記載の留め手段付き箱。
【請求項３】
前記移動磁石を前記固定磁石と対向する位置から最も移動させたとき、前記移動磁石と前記固定磁石との距離Ｌが、前記移動磁石の外形寸法Ｄ１と前記固定磁石の外形寸法Ｄ２とのうち短い外形寸法の１〜２倍であることを特徴とする請求項１又は２に記載の留め手段付き箱。
【請求項４】
着脱可能に前記蓋を覆う、折り畳み式の屋根部を備え、
前記屋根部が、
中空板材からなる、一対の斜面板、該斜面板に折り曲げ可能に連結された四枚の折り曲げ板、前記斜面板に折り曲げ可能に連結された一対の側板、並びに、前記一対の側板に折り曲げ可能に連結された正面板及び背面板と、
前記折り曲げ板に移動可能に収容された移動磁石、並びに、前記正面板及び背面板に固定された固定磁石とからなる屋根部用留め手段と
を有し、
前記移動磁石が前記固定磁石と対向する位置にあるとき、磁気吸引力によって前記折り曲げ板を前記正面板又は背面板に留め、前記移動磁石を前記固定磁石と対向する位置から移動させると、磁気吸引力による留めが解除されることを特徴とする請求項１〜３のいずれか一項に記載の留め手段付き箱。
【発明の詳細な説明】
【技術分野】
【０００１】
本発明は、留め手段付き箱に関し、特に、永久磁石を用いて蓋を留める留め手段付き箱に関する。
【背景技術】
【０００２】
中空部を有する樹脂製の中空板材は、軽量で剛性に優れることから、梱包箱、スリーブコンテナ、自動車内装材、建築資材などに広く使用されている。上記の梱包箱においては、開閉する蓋を留める手段として、通常、面ファスナーからなる留め手段が用いられてきた。
【０００３】
また、本発明に関連する様々な技術が提案されている。
たとえば、特許文献１には、矩形の箱本体と、該箱本体に開閉可能に結合された蓋とを含み、蓋を閉じたときにフラップは該フラップが外接する正面部と吸着部材の磁力によって吸着面において吸着し、これにより蓋が固定される収納箱が開示されている。
【０００４】
また、特許文献２には、容器本体の開口部に蓋体を開閉自在に装設し、同蓋体の開口縁には永久磁石片を固定し、これに対向する本体の開口縁には操作片に連係した部材を介して永久磁石片を移動自在に装設し、蓋体側の永久磁石片と、本体の開口縁側の永久磁石片を閉止位置において異極性で対向させ、操作片による開放操作時に蓋体側の永久磁石片に対して、本体の開口縁側の永久磁石片が同極性で対向する様に設け、蓋体の開口縁に係合突起又は係合溝を形成する一方、操作片にこれが上記閉止位置において前記係合突起又は係合溝と係合する係合溝又は係合突起を形成した蓋体の係止機構が開示されている。
【０００５】
また、特許文献３には、折り畳み可能に形成された剛性素材からなる箱状の芯材と、記芯材の外側を覆い、かつ、前記芯材に追随して折り畳まれる可撓性素材からなる被覆材とを有することを特徴とする梱包箱が開示されている。
【先行技術文献】
【特許文献】
【０００６】
【特許文献１】特開２００９−２６９６４５号公報
【特許文献２】実公平６−２７５６８号公報
【特許文献３】特開２０１０−１３７９０８号公報
【発明の概要】
【発明が解決しようとする課題】
【０００７】
しかしながら、上述した面ファスナーからなる留め手段が取り付けられた梱包箱は、面ファスナーが水に弱いために、野外での使用に適していなかった。このため、野外でも使用可能な構造とし、商品としての付加価値を向上させることが要望されていた。
また、面ファスナーは、フック状に起毛された部材（フック状部材）とループ状に密集して起毛された部材（ループ状部材）とからなっており、貼り付けられたフック状部材を剥がすには、ループ状部材を一方の手で押さえ、他方の手でフック状部材を引き剥がす必要があった。さらに、面ファスナーによる保持力を強くすると、蓋を開ける際、強い力で面ファスナーを剥がす必要があったり、あるいは、保持力を強くするにも限界があった。このため、作業性、使い勝手及び保持力を向上させることが要望されていた。
なお、ホックからなる留め手段が取り付けられた梱包箱においては、留める際、鉤と受け金の位置合わせを精度よく行う必要があり、作業性や使い勝手を向上させることが要望されていた。
【０００８】
本発明は、上記事情に鑑み提案されたものであり、商品としての付加価値、作業性、使い勝手及び保持力などを向上させることができる留め手段付き箱の提供を目的とする。
【課題を解決するための手段】
【０００９】
上記目的を達成するため、本発明の留め手段付き箱は、中空板材からなる、箱本体及び蓋と、前記蓋に移動可能に収容された移動磁石、及び、前記箱本体に固定された固定磁石とからなる留め手段とを備え、前記蓋が、前記移動磁石を移動させるための指掛け孔の形成されたフラップ、該フラップの内側面に接合され、前記移動磁石を移動可能に収めるスライド溝の形成された中板、及び、該中板の内側面に接合され、前記移動磁石を覆う移動磁石用カバー板を有し、前記箱本体が、前記固定磁石を収める収容孔の形成された正面板、及び、前記固定磁石を覆う固定磁石用カバー板を有し、前記移動磁石が前記固定磁石と対向する位置にあるとき、磁気吸引力によって前記蓋を前記箱体に留め、前記移動磁石を前記固定磁石と対向する位置から移動させると、磁気吸引力による留めが解除される構成としてある。
【発明の効果】
【００１０】
本発明の留め手段付き箱によれば、面ファスナーのように水に弱いといった不具合がないので、野外での使用にも適しており、商品としての付加価値を向上させることができる。
また、移動磁石が固定磁石に接近すると、自動的に蓋が締まり、また、磁場（磁束密度）などを適度に設定することにより、片手で蓋を開けることができ、作業性及び使い勝手を向上させることができる。
さらに、移動磁石を移動可能に蓋に取り付けてあるので、強い磁場の磁石を用いた場合であっても、移動磁石を固定磁石と対向する位置から移動させることによって、磁気吸引力の影響を受けることなく、容易に蓋を開けることができ、あるいは、容易に蓋を開けることができるので、強い磁場の磁石を用いることができ、蓋を閉じる際の保持力を向上させることができる。
【図面の簡単な説明】
【００１１】
【図１】図１は、本発明の一実施形態にかかる留め手段付き箱を説明するための概略図であり、（ａ）は蓋を閉めた状態の斜視図を示しており、（ｂ）は蓋を開いた状態の斜視図を示している。
【図２】図２は、本発明の一実施形態にかかる留め手段付き箱の留め手段を説明するための概略拡大図であり、（ａ）は移動磁石を説明するための分解斜視図を示しており、（ｂ）は固定磁石を説明するための分解斜視図を示している。
【図３】図３は、本発明の一実施形態にかかる留め手段付き箱の留め手段を説明するための概略拡大図であり、（ａ）は移動磁石が固定磁石と対向している状態を説明するための正面図を示しており、（ｂ）は移動磁石を移動させた状態を説明するための正面図を示している。
【図４】図４は、本発明の応用例にかかる留め手段付き箱が有する屋根部を説明するための概略図であり、（ａ）は組み立てられた状態を説明するための斜視図を示しており、（ｂ）は折り畳む途中の状態を説明するための斜視図を示している。
【図５】図５は、本発明の変形例にかかる留め手段付き箱が有する屋根部を説明するための概略図であり、（ａ）は組み立てられた状態を説明するための斜視図を示しており、（ｂ）は折り畳む途中の状態を説明するための斜視図を示している。
【発明を実施するための形態】
【００１２】
［留め手段付き箱の一実施形態］
図１において、本実施形態の留め手段付き箱１は、中空板材からなる箱本体２、及び、同様に中空板材からなる蓋３と、この蓋３に移動可能に収容された移動磁石４１、及び、箱本体２に固定された固定磁石４２とからなる留め手段４とを備えている。
上記の中空板材は、中空部を有する樹脂製の板材（厚さは、通常、数ｍｍである。）であり、本実施形態の中空板材は、中空状に膨出する多数の突起が形成されたコア材（キャップシートとも呼ばれる。）の両面に、平板状の外装材（ベースシート、ライナーシートとも呼ばれる。）をそれぞれ積層した三層の気泡ボードとしてある（上記特許文献３の図８参照。）。
なお、中空板材は、三層の気泡ボードに限定されるものではなく、たとえば、二層の気泡ボード、プラスチック段ボール、プラスチックハニカムボード、円錐台形状の中空ピンの先端どうしを溶着させた構造を有する四層のプラスチック構造板（四層の気泡ボードとも呼ばれる。）などであってもよい。
【００１３】
（箱本体及び蓋）
留め手段付き箱１は、ほぼ直方体状としてあり、箱本体２は、正面板２１、背面板（番号を付与せず）、左右の側板及び底板を有しており、蓋３は、正面側の端部にフラップ３１が形成され、背面側の端部に、箱本体２の背面板に接合され、ヒンジとして機能する連結板（図示せず）が形成されている。
また、留め手段付き箱１は、留め手段４が、磁気吸引力により蓋３のフラップ３１を箱本体２の正面板２１に保持することによって、蓋３を箱本体２に留める構成としてある。ただし、この構成に限定されるものではなく、たとえば、図示してないが、蓋の左右のフラップを箱本体の左右の側板にさらに留める構成としてもよい。
【００１４】
なお、箱本体２は、正面板２１、背面板、左右の側板の上部に、断面形状が溝型のフレーム（番号を付与せず）が取り付けられ、また、上部の四隅にコーナーフレームが取り付けられ、さらに、両側板に袋取手が取り付けられてもよい。上記フレームにより、端部の美観と強度を向上させることができ、また、コーナーフレームにより、段積みを可能とすることができ、さらに、袋取手により、持ち運びを容易に行うことができる。
また、中空板材どうしの接合は、通常、超音波融着加工などによって行われる。
【００１５】
（留め手段）
図２において、留め手段４は、上述したように、蓋３に移動可能に収容された移動磁石４１、及び、箱本体２に固定された固定磁石４２とからなっている。また、留め手段４は、移動磁石４１が固定磁石４２と対向する位置にあるとき、磁気吸引力によって蓋３を箱本体２に留め、移動磁石４１を固定磁石４２と対向する位置から移動させると、磁気吸引力による留めが解除される。また、移動磁石４１及び固定磁石４２は、ネオジム磁石などの永久磁石としてあり、本実施形態では、円環平板形状としてある。
なお、移動磁石４１及び固定磁石４２は、閉じられた蓋３に必要とされる保持力などに応じて、形状や磁場（磁束密度）などがそれぞれ設定される。
また、移動磁石４１及び固定磁石４２は、互いに磁気吸引力が作用すればよいので、移動磁石４１及び固定磁石４２の一方が鉄片などの磁性体であってもよい。
【００１６】
次に、移動磁石４１及び固定磁石４２を取り付ける構造について説明する。
蓋３は、図２（ａ）に示すように、移動磁石４１を移動させるための指掛け孔３１２の形成されたフラップ３１、該フラップ３１の内側面（図２（ａ）においては、下面）に接合され、移動磁石４１を移動可能に収めるスライド溝３２１の形成された中板３２、及び、該中板３２の内側面に接合され、移動磁石４１を覆う移動磁石用カバー板（適宜、カバー板３３と略称する。）を有している。
【００１７】
ここで、蓋３は、内側面に、熱罫線加工などによってＶ溝が形成されており、このＶ溝が折れ線３１１（あるいは、ヒンジ）として機能し、フラップ３１を容易に下方に回動させることができる。また、指掛け孔３１２は、長円形状の開口としてあり、ユーザは、指を指掛け孔３１２に入れて、移動磁石４１を移動させることができる。
また、中板３２は、移動磁石４１の厚さより厚い矩形状の中空板材としてあり、スライド溝３２１は、長円形状の開口としてある。
さらに、カバー板３３は、矩形状の中空板材としてある。
すなわち、移動磁石４１は、スライド溝３２１に収められ、中板３２がフラップ３１に接合され、カバー板３３が中板３２に接合されることによって、蓋３に移動可能に収容される。
なお、本実施形態では、フラップ３１の内側面に中板３２及びカバー板３３を接合しており、図１（ｂ）に示すように、フラップ３１の内側面に、中板３２及びカバー板３３による段差が形成されるが、これに限定されるものではない。たとえば、図示してないが、この段差が形成されないように、フラップ３１とほぼ同じ大きさの中板３２及びカバー板３３を使用したり、あるいは、段差が生じないように、中板３２及びカバー板３３の端部に緩やかな斜面を形成ようにしてもよい。
【００１８】
箱本体２は、図２（ｂ）に示すように、固定磁石４２を収める収容孔２１１の形成された正面板２１、及び、固定磁石４２を覆う固定磁石用カバー板、すなわち、外側から覆うカバー板２２と内側から固定磁石４２を覆うカバー板２３を有している。
ここで、正面板２１は、固定磁石４２の厚さより厚い又はほぼ同じ厚さとしてある。
また、カバー板２２、２３は、矩形状の中空板材としてある。
すなわち、固定磁石４２は、収容孔２１１に収められ、カバー板２２が正面板２１に接合され、カバー板２３が正面板２１に接合されることによって、箱本体２に固定される。
このようにして、移動磁石４１及び固定磁石４２を取り付けると、構造を単純化できるとともに、容易に加工することができ、製造原価のコストダウンを図ることができる。
【００１９】
なお、本実施形態では、フラップ３１、中板３２、カバー板３３、２２、２３として、箱本体２及び蓋３と同じ中空板材を用いているが、これに限定されるものではない。たとえば、図示してないが、カバー板３３、２２、２３として薄い（たとえば、厚さが１ｍｍ〜２ｍｍの）樹脂シートを用いてもよく、このようにすると、蓋３を留める際、移動磁石４１と固定磁石４２との距離を短くすることができるので、小型の、あるいは、磁場の低い磁石を用いることができ、製造原価のコストダウンを図ることができる。
また、収容孔２１１は、貫通孔としてあるが、これに限定されるものではなく、たとえば、図示してないが、貫通していない穴としてもよく、この場合、正面板２１の開口した側に固定磁石４２を覆うカバー板２２又はカバー板２３が接合される。
【００２０】
ここで、好ましくは、留め手段付き箱１は、一対の移動磁石４１、及び、一対の固定磁石４２を有し、一対の指掛け孔３１２が左右方向に並ぶように形成され、一対のスライド溝３２１が左右方向に沿って形成され、一対の収容孔２１１が左右方向に並ぶように形成されるとよい。すなわち、本実施形態では、右側の移動磁石４１は、スライド溝３２１内を左側に移動し、スライド溝３２１の左側の端部と当接するとき、右側の固定磁石４２と対応する位置（移動磁石４１の中心が、固定磁石４２の中心とほぼ重なる位置）にある。また、左側の移動磁石４１は、スライド溝３２１内を右側に移動し、スライド溝３２１の右側の端部と当接するとき、左側の固定磁石４２と対応する位置にある。
このようにすると、蓋３を二箇所で留めることができるので、一箇所で留める場合より、確実に、かつ、均一な状態で蓋３を留めることができる。
【００２１】
なお、留め手段付き箱１が大きい場合（たとえば、蓋３の左右方向の長さが１ｍを超える場合など）には、図示してないが、三箇所以上で留める構成としてもよい。
また、この場合、三つ以上の移動磁石４１と連結した一つのレバー（図示せず）を設けて、一つのレバーを移動させることにより、三つ以上の移動磁石４１を同時に移動させる構成としてもよく、使い勝手などを向上させることができる。
また、本実施形態では、右側の移動磁石４１を右側に移動させると、固定磁石４２と対向する位置から離れ、左側の移動磁石４１を左側に移動させると、固定磁石４２と対向する位置から離れる構成としてあるが、これに限定されるものではない。たとえば、図示してないが、右側の移動磁石４１を左側に移動させると、固定磁石４２と対向する位置から離れ、左側の移動磁石４１を右側に移動させると、固定磁石４２と対向する位置から離れる構成、あるいは、一対の移動磁石４１を右側又は左側に移動させると、固定磁石４２と対向する位置からそれぞれ離れる構成としてもよい。
【００２２】
また、好ましくは、図３（ｂ）に示すように、移動磁石４１を固定磁石４２と対向する位置から最も移動させたとき、移動磁石４１と固定磁石４２との距離Ｌが、移動磁石４１の外形寸法Ｄ１と固定磁石４２の外形寸法Ｄ２とのうち短い外形寸法の１〜２倍であるとよい。なお、外形寸法とは、外形の任意の二点を結ぶ線分の最大寸法をいい、本実施形態では、外形寸法Ｄ１は移動磁石４１の外径であり、外形寸法Ｄ２は固定磁石４２の外径であり、Ｄ１＞Ｄ２としてある。したがって、Ｄ２≦Ｌ≦２Ｄ２であるとよい。
このようにすると、蓋３が開かれ、かつ、移動磁石４１が固定磁石４２と対向する位置から最も移動した位置にある状態から、蓋３を閉じる際、たとえば、蓋３がほぼ水平となり、フラップ３１が約４５°下方に傾斜すると、固定磁石４２と対向する位置から最も移動した位置にある移動磁石４１が、磁気吸引力によって固定磁石４２と対向する位置に自動的に移動し、かつ、自動的に蓋３を箱本体２に留めることができる。これにより、作業性及び使い勝手を向上させることができる。
【００２３】
なお、上記の数値限定の理由は、たとえば、Ｌ＜Ｄ２であると、蓋３を開く際、指で移動磁石４１を固定磁石４２と対向する位置から最も移動した位置に移動させても、磁気吸引力によって固定磁石４２と対向する位置に自動的に戻ってしまうおそれがあるからである。また、Ｌ＞２Ｄ２であると、蓋３を閉じる際、移動磁石４１が、磁気吸引力によって固定磁石４２と対向する位置に自動的に移動できず、移動磁石４１を移動させるといった作業を行わなければならなくなるおそれがあるからである。
【００２４】
次に、上記構成の留め手段付き箱１の動作などについて、図面を参照して説明する。
図１（ａ）、３（ａ）に示すように、留め手段付き箱１は、移動磁石４１が固定磁石４２と対向する位置にあるとき、磁気吸引力によって蓋３を箱本体２に留める。すなわち、各移動磁石４１が、指掛け孔３１２内をそれぞれ中央側に（固定磁石４２と対向する位置に）移動しており、移動磁石４１及び固定磁石４２の磁気吸引力によって、フラップ３１が正面板２１に保持され、蓋３は閉じられた状態を維持する。
また、留め手段付き箱１は、ユーザが移動磁石４１を固定磁石４２と対向する位置から移動させると、磁気吸引力による留めが解除され、ユーザは、フラップ３１を容易に正面側上方に回動させ、蓋３を開くことができる。
【００２５】
ここで、留め手段付き箱１は、移動磁石４１及び固定磁石４２の磁場（磁束密度、あるいは、磁石の強さともいう。）、並びに、蓋３が閉められた際の移動磁石４１と固定磁石４２との距離（すなわち、カバー板２２とカバー板３３の厚さ）などの設定によって、フラップ３１が正面板２１に保持される際の保持力（すなわち、フラップ３１に作用する磁気吸引力）が決定される。
すなわち、フラップ３１が正面板２１に保持された状態（すなわち、カバー板３３がカバー板２２と接触している状態、図１（ａ）参照）から、フラップ３１を、ほぼ正面側上方に回動させる力のモーメントが小さい場合、ユーザは、片手でフラップ３１を正面側上方に回動させ、蓋３を開くことができ、面ファスナーを用いる場合より、使い勝手を向上させることができる。
【００２６】
また、フラップ３１が正面板２１に保持された状態から、フラップ３１をほぼ正面側に移動させる力のモーメントが大きい場合、ユーザは、閉じられた蓋３（移動磁石４１は固定磁石４２と対向する位置にある。）を開く際、ほぼフラップ３１を手前側上方に回動させることができない。ただし、ユーザは、移動磁石４１を固定磁石４２と対向する位置から移動させ、磁気吸引力による留めを解除し、フラップ３１を正面側上方に容易に回動させ、蓋３を開くことができる。すなわち、留め手段付き箱１は、移動磁石４１を固定磁石４２と対向する位置から移動させないかぎり、蓋３が開かない構造とすることもできる。すなわち、留め手段付き箱１は、蓋３を閉じる際の保持力を向上させることができる。
なお、対向する状態で磁気吸引力が作用し合う移動磁石４１と固定磁石４２において、対向する方向と直角な方向に、移動磁石４１をずらすために必要な外力は、対向する方向に沿って移動磁石４１を引き離すために必要な外力より小さい。したがって、フラップ３１をほぼ正面側に移動させる力のモーメントが大きい場合であっても、ユーザは、移動磁石４１を固定磁石４２と対向する位置から小さな力で容易に移動させることができる。
【００２７】
以上説明したように、本実施形態の留め手段付き箱１によれば、面ファスナーの代わりに、水の影響を受けない留め手段４を用いているので、野外での使用にも適しており、商品としての付加価値を向上させることができる。
また、移動磁石４１を移動可能にフラップ３１に取り付けてあるので、強い磁場（磁束密度）の磁石を用いた場合であっても、移動磁石４１を固定磁石４２と対向する位置から移動させることによって、磁気吸引力の影響を受けることなく、容易に蓋３を開くことができる。また、容易に蓋３を開くことができるので、強い磁場（磁束密度）の磁石を用いることができ、蓋３を閉じる際の保持力を向上させることができる。
【００２８】
さらに、蓋３を閉じる際、移動磁石４１が固定磁石４２に接近すると、自動的に蓋３が閉じるので、作業性及び使い勝手を向上させることができる。すなわち、ホックからなる留め手段が取り付けられた梱包箱（図示せず）と比べると、鉤と受け金の位置合わせを精度よく行う必要がないので、作業性及び使い勝手を向上させることができる。
また、磁場（磁束密度）などを適度に設定することにより、片手で蓋３を開くことができ、作業性及び使い勝手を向上させることができる。
また、本実施形態は、様々な応用例を有している。
次に、本実施形態の応用例について、図面を参照して説明する。
【００２９】
＜留め手段付き箱の応用例＞
本応用例の留め手段付き箱は、上述した留め手段付き箱１と、図４に示す屋根部５とからなっている。屋外に設置された装置等においては屋根を設ける場合があり、このような場合、屋根部５を、通常折り畳み式とすると、使用時には展開して屋根型とするが不使用時は折り畳んで収納できるようにすることができ便利である。ここで、屋根部５は、着脱可能に留め手段付き箱１の蓋３を覆う構成としてある。すなわち、本応用例の留め手段付き箱は、留め手段付き箱１と比べると、さらに屋根部５を備えた点などが相違する。なお、本応用例の他の構成は、留め手段付き箱１とほぼ同様としてある。
【００３０】
屋根部５は、図４（ａ）に示すように、中空板材からなる、一対の斜面板５１、該斜面板５１に折り曲げ可能に連結された四枚の折り曲げ板５２、前記斜面板５１に折り曲げ可能に連結された一対の側板５３、並びに、一対の側板５３に折り曲げ可能に連結された正面板５４及び背面板（図４においては見えない。）を有している。
また、屋根部５の各板は、上述した留め手段付き箱１の中空板材とほぼ同様の中空板材からなっており、通常、三層の気泡ボードが用いられる。
【００３１】
矩形状の一対の斜面板５１、平行四辺形状の四枚の折り曲げ板５２、及び、矩形状の側板５３は、一枚の中空板材から切り出され、各折れ線として、熱罫線加工などによって溝が形成されている。すなわち、一対の斜面板５１どうしの間には、折れ線５１１が形成され、各斜面板５１と各側板５３との間には、折れ線５３１が形成され、一対の斜面板５１と四枚の折り曲げ板５２との間には、折れ線５２１が形成されている。
また、ほぼ五角形状の正面板５４及び背面板は、それぞれ一枚の中空板材から切り出され、上下方向に沿って二等分するように折れ線５４１がそれぞれ形成され、さらに、左右側の端部（図示せず）に対して上下方向に沿って折れ線５４２が形成されている。上記の左右側の端部は、超音波溶着加工によって側板５３の内側面に接合されている。
【００３２】
また、本応用例の留め手段付き箱は、正面側の屋根部用留め手段と、背面側の屋根部用留め手段とを有している。正面側の屋根部用留め手段は、正面側の二枚の折り曲げ板５２にそれぞれ一つずつ移動可能に収容された移動磁石５５と、正面板５４に固定された一対の固定磁石（図示せず）とからなり、背面側の屋根部用留め手段は、背面側の二枚の折り曲げ板５２にそれぞれ一つずつ移動可能に収容された移動磁石５５と、背面板に固定された一対の固定磁石（図示せず）とからなっている。
この屋根部用留め手段は、上述した留め手段４とほぼ同様な構成としてあり、移動磁石５５が固定磁石と対向する位置にあるとき、磁気吸引力によって折り曲げ板５２を正面板５４又は背面板に留め、移動磁石５５を固定磁石と対向する位置から移動させると、磁気吸引力による留めが解除される。
【００３３】
なお、屋根部５は、移動磁石５５を移動させるための指掛け孔５６の形成された折り曲げ板５２、該折り曲げ板５２の内側面に接合され、移動磁石５５を移動可能に収めるスライド溝（図示せず）の形成された中板、及び、中板の内側面に接合され、移動磁石５５を覆うカバー板を有している。このように、移動磁石５５は、スライド溝に収められることによって、折り曲げ板５２に移動可能に収容される。
また、図示してないが、屋根部５は、正面板５４及び背面板が、固定磁石を収める収容孔の形成された正面板５４及び背面板、及び、固定磁石を覆う一対のカバー板、すなわち、外側から固定磁石を覆うカバー板と内側から固定磁石を覆うカバー板を有している。
【００３４】
次に、上記構成の屋根部５の動作などについて説明する。
図４（ａ）に示すように、屋根部５は、移動磁石５５が固定磁石と対向する位置にあるとき、磁気吸引力によって正面側の折り曲げ板５２を正面板５４に留める。すなわち、上述した留め手段４とほぼ同様にして、移動磁石５５及び固定磁石の磁気吸引力によって、正面側の折り曲げ板５２が正面板５４に保持され、また、同様にして、背面側の折り曲げ板５２が背面板に保持され、屋根部５は組み立てられた状態を維持する。
【００３５】
また、屋根部５は、ユーザが移動磁石５５を固定磁石と対向する位置から移動させると、磁気吸引力による留めが解除され、ユーザは、折り曲げ板５２を容易に上方に回動させ、屋根部５を折り畳むことができる。
すなわち、屋根部５は、図４（ｂ）に示すように、折り曲げ板５２が上方に回動され、次に、正面板５４及び背面板の中央部を内側に移動させつつ一対の斜面板５１を閉じる方向に回動させ、図示してないが、正面板５４及び背面板が折れ曲がり、一対の斜面板５１の内側面どうしが接触するように折り畳むことができる。
なお、上記の動作を戻ることによって、折り畳まれた屋根部５を容易に組み立てることができる。
【００３６】
このように、本応用例の留め手段付き箱は、上述した留め手段付き箱１と、組み立てられ、留め手段付き箱１の蓋３を覆うように取り付けられる屋根部５とからなっている。すなわち、折り畳み式の屋根部５を備えた留め手段付き箱を提供することができ、商品としての付加価値を向上させることができる。
また、屋根部５は、上述した留め手段４とほぼ同様な構成の屋根部用留め手段を有しているので、移動磁石５５及び固定磁石の磁気吸引力によっては、片手で折り曲げ板５２を開くことができ、面ファスナーを用いる場合より、使い勝手を向上させることができる。
さらに、本応用例の留め手段付き箱は、野外に置かれて雨などが降っても、屋根部５によって、水が留め手段付き箱１の内部に侵入することを効果的に防ぐことができ、たとえば、屋根付きの金型用収納箱などに有効に使用することができる。
【００３７】
なお、本応用例は、様々な変形例を有している。
たとえば、屋根部５が大型である場合には、図５に示すように、正面側の屋根部用留め手段は、正面側の二枚の折り曲げ板５２にそれぞれ二つずつ移動可能に収容された移動磁石５５と、正面板５４に固定された四つの固定磁石（図示せず）とからなり、背面側の屋根部用留め手段は、背面側の二枚の折り曲げ板５２にそれぞれ二つずつ移動可能に収容された移動磁石５５と、背面板に固定された四つの固定磁石（図示せず）とからなっていてもよい。
このようにすると、折り曲げ板５２が大きくても、各折り曲げ板５２を二箇所で留めることができるので、一箇所で留める場合より、確実に、かつ、均一な状態で折り曲げ板５２を留めることができる。
【００３８】
以上、本発明の留め手段付き箱について、好ましい実施形態などを示して説明したが、本発明に係る留め手段付き箱は、上述した実施形態などにのみ限定されるものではなく、本発明の範囲で種々の変更実施が可能であることは言うまでもない。
例えば、留め手段付き箱１の留め手段４は、蓋３を箱本体２に留める構成としてあるが、これに限定されるものではない。たとえば、図示してないが、留め手段４は、通常、様々な箱類の蓋留め具として、有効に適用することができる。さらに、箱類の蓋留め具に限定されるものではなく、たとえば、中空板材を用いた構造物の留め手段としても適用することができる。
【符号の説明】
【００３９】
１  留め手段付き箱
２  箱本体  
３  蓋  
４  留め手段  
５  屋根部  
２１  正面板  
２２  カバー板  
２３  カバー板  
３１  フラップ  
３２  中板  
３３  カバー板  
４１  移動磁石  
４２  固定磁石  
５１  斜面板
５２  折り曲げ板
５３  側板
５４  正面板
５５  移動磁石
５６  指掛け孔
２１１  収容孔
３１１  折れ線
３１２  指掛け孔
３２１  スライド溝
５１１  折れ線
５２１  折れ線
５３１  折れ線
５４１  折れ線
５４２  折れ線
【図１】
2014162510.tif 000003
【図２】
2014162510.tif 000004
【図３】
2014162510.tif 000005
【図４】
2014162510.tif 000006
【図５】
2014162510.tif 000007